(57)【要約】  本発明は、酸素カプセルと、化粧品容器本体の下部に設けられる酸素供給キャップの構造を改善して、酸素供給キャップの結合時、酸素を同時に噴き出させ、また、酸素供給キャップの構成品を単純化して、原価を節減するとともに、組立性を向上させ、さらに、酸素供給キャップに取り付けられる酸素カプセルを容易に入れ替えることができるようにした酸素混合化粧品容器に関する。本発明は、化粧品が収容される上部が開放した貯蔵空間（１１）を有する本体（１０）と、前記本体（１０）の上部に結合され、ノズル（２１ａ）が形成されたポンピング部（２１）を有する蓋（２０）と、前記本体（１０）の下部の中央に気密に取り付けられ、下部に突出した破裂棒（３１）を有する弁（３０）と、前記弁（３０）の破裂棒（３１）で破裂される破裂膜（４１）を有し、本体（１０）の貯蔵空間（１１）に酸素を供給する酸素カプセル（４０）と、を備え、前記本体（１０）の下部に本体（１０）よりも小さな外径を有して一体で形成され、弁（３０）の下部と酸素カプセル（４０）の上部を取り囲む連結管（５０）と、前記連結管（５０）に分離可能に結合され、酸素を噴き出させるように、内周の下部に放射状に突出した多数の固定片（６１）を介して酸素カプセル（４０）が挟み込まれるカプセル取付部（６２）を有する酸素供給キャップ（６０）と、をさらに備える。【選択図】図２
2019511948.tif 000002
【特許請求の範囲】
【請求項１】
化粧品が収容される上部が開放した貯蔵空間（１１）を有する本体（１０）と、前記本体（１０）の上部に結合され、ノズル（２１ａ）が形成されたポンピング部（２１）を有する蓋（２０）と、前記本体（１０）の下部の中央に気密に取り付けられ、下部に突出した破裂棒（３１）を有する弁（３０）と、前記弁（３０）の破裂棒（３１）で破裂される破裂膜（４１）を有し、本体（１０）の貯蔵空間（１１）に酸素を供給する酸素カプセル（４０）と、を備え、前記本体（１０）の下部に本体（１０）よりも小さな外径を有して一体で形成され、弁（３０）の下部と酸素カプセル（４０）の上部を取り囲む連結管（５０）と、前記連結管（５０）に分離可能に結合され、酸素を噴き出させるように、内周の下部に放射状に突出した多数の固定片（６１）を介して酸素カプセル（４０）が挟み込まれるカプセル取付部（６２）を有する酸素供給キャップ（６０）と、をさらに備えることを特徴とする酸素混合化粧品容器。
【請求項２】
前記連結管（５０）の外周には雄ねじ（５１）が形成され、前記酸素供給キャップ（６０）の内周の上部には、雄ねじ（５１）と螺合される雌ねじ（６３）が形成されたことを特徴とする請求項１に記載の酸素混合化粧品容器。
【請求項３】
前記連結管（５０）の外周の両側には、下部が開放した挿入溝（５２）が垂直に形成され、前記挿入溝（５２）の上部には、着脱案内溝（５３）が螺旋方向に傾斜して形成され、前記着脱案内溝（５３）の上部には、固定溝（５４）が水平に形成され、前記酸素供給キャップ（６０）の内周の両側には、挿入溝（５２）と着脱案内溝（５３）を介して固定溝（５４）に挟み込まれる固定突起（６４）が形成されたことを特徴とする請求項１に記載の酸素混合化粧品容器。
【請求項４】
前記固定片（６１）の内側の上部には、酸素カプセル（４０）の上部を把持するように、傾斜面（６１ａ）が形成されたことを特徴とする請求項１に記載の酸素混合化粧品容器。
【請求項５】
前記本体（１０）と酸素供給キャップ（６０）は、同一の外径からなり、前記本体（１０）の外周の下端と酸素供給キャップ（６０）の外周の上端には、それぞれ滑り止め用環状突条（１０ａ、６０ａ）が形成されたことを特徴とする請求項１に記載の酸素混合化粧品容器。
【発明の詳細な説明】
【技術分野】
【０００１】
本発明は、容器内の化粧品に酸素を供給する酸素混合化粧品容器に係り、さらに詳しくは、酸素カプセルと、化粧品容器本体の下部に設けられる酸素供給キャップの構造を改善して、酸素供給キャップの結合時、酸素を同時に噴き出させ、また酸素供給キャップの構成品を単純化して、原価を節減するとともに、組立性を向上させ、さらに、酸素供給キャップに取り付けられる酸素カプセルを入れ替えやすくした酸素混合化粧品容器に関する。
【背景技術】
【０００２】
一般に、人体の肌に触れる酸素は、皮膚細胞間の呼吸を強化させ、肌中の毒素及び老廃物の排出を円滑にして活性化させ、肌の代謝作用を活発に進行させることが知られている。
酸素成分が入っている化粧品は、酸素発生組成物が肌に触れ、酸素を生成することを原理として用いている。
酸素成分は、各種の皮膚栄養物が肌にさらに吸収されやすくする補助剤の役割をする。
酸素微粒子は、肌に吸収され、清涼な肌の状態を作るのに効果的に作用する。
酸素成分を含有する化粧品を使ってから、肌がさわやかかつ涼しく感じられるのは、酸素が化粧品成分の肌への吸収を促進し、またはある程度は促進に寄与するからである。
酸素を含有する化粧品は、肌の美白に効果的に作用するものとして知られている。
各種の化粧品の構成成分のうち、美白に関与する様々な物質は共に、酸素を補ったとき、さらに高い美白効果を示すことが、多くの事例と研究から立証された。
【０００３】
しかしながら、化粧品の製造にあたって、化粧品の構成成分に多量の酸素を粒子状で溶解させて製造し、密閉した容器に保管したとしても、使用中、容器の開放とともに、速く消滅され、実際に充分な酸素を化粧品の構成成分に含ませて供給することは難しく、汚染物質が含まれていない純粋酸素を供給することは不可能であった。
通常、酸素成分が入っている化粧品は、酸素を直接構成成分として含むことなく、酸素発生物質を化粧品の構成物質として入れて組成し、使用中、その酸素発生物質が肌に触れたとき、酸素を生成させることが主流となっており、微量の酸素のみを生成するだけで、充分な量の酸素を効果的に供給し難く、純度の高い純粋酸素を供給することは不可能であった。
【０００４】
このため、下記の特許文献１には、化粧品の構成物質に直接関与しないながら、多量の高純度酸素を化粧品中に入れ、化粧品の本来の固有栄養成分が肌にさらに吸収されやすくするための酸素混合化粧品容器が開示されている。
しかしながら、上記した特許文献１に開示された従来の酸素混合化粧品容器においては、構造的に高圧酸素貯蔵容器を収容する供給キャップが別途に形成され、化粧品容器本体の下部に結合してから、さらに別途の外部キャップを設置することにより、構成品が多くなるという問題点があり、構成品が多くなることにより、原価が上昇するとともに、使用上の不便さにより組立性が落ちるという問題点があった。
【０００５】
また、従来の酸素混合化粧品容器は、高圧酸素貯蔵容器が取り付けられた供給キャップを容器本体の下部に結合する瞬間、酸素が噴き出し、このとき、その外部をさらに別途の外部キャップで被せているが、これでは、構造的にキャップを二重に設置する意味がなく、二重にキャップを設置しているので、供給キャップの入口が狭く、高圧酸素容器の上端部を手で持ち難く、高圧酸素容器を容易に入れ替えることができないという不便な問題点があった。
【先行技術文献】
【特許文献】
【０００６】
【特許文献１】大韓民国登録特許第１０−１１４９９０４号公報
【発明の概要】
【発明が解決しようとする課題】
【０００７】
本発明は、上記問題点に鑑みなされたものであり、その目的は、酸素カプセルと、化粧品容器本体の下部に設けられる酸素供給キャップの構造を改善して、酸素供給キャップと容器本体との結合時、酸素が同時に噴き出すようにした酸素混合化粧品容器を提供することにある。
本発明の他の目的は、酸素供給キャップの構成品を単純化して、原価を節減するとともに、酸素供給キャップの組立性を向上させることができる酸素混合化粧品容器を提供することにある。
本発明のまた他の目的は、酸素供給キャップの内部に取り付けられ、酸素を供給する酸素カプセルをより一層容易に入れ替えることができる酸素混合化粧品容器を提供することにある。
【課題を解決するための手段】
【０００８】
上記目的を達成するための本発明は、化粧品容器本体の内部に化粧品が収容される上部が開放した貯蔵空間を形成し、前記本体の上部に、ノズルとポンピング部が設けられた蓋を結合し、前記本体の下部の中央部に、破裂棒が下部に突出した弁を気密に取り付け、前記破裂棒で破裂される破裂膜が設けられた酸素カプセルを弁に連結し、本体の貯蔵空間に酸素を供給し、前記本体の下部に、弁の下部と酸素カプセルの上部を取り囲む連結管を、本体よりも小さな外径を有して一体で形成し、前記連結管に酸素を噴き出させるように、内周の下部に放射状に突出した多数の固定片を介して酸素カプセルが挟み込まれるカプセル取付部が設けられた酸素供給キャップを分離可能に結合したものである。
また、本発明は、前記連結管の外周には雄ねじを形成し、前記酸素供給キャップの内周の上部には雄ねじと螺合される雌ねじを形成したものである。
【０００９】
また、本発明は、前記連結管の外周の両側には、下部が開放した挿入溝を垂直に形成し、前記挿入溝の上部には、着脱案内溝を螺旋方向に傾斜して形成し、前記着脱案内溝の上部には、固定溝を水平に形成し、前記酸素供給キャップの内周の両側には、挿入溝を介して固定溝に挟み込まれる固定突起を形成したものである。
また、本発明は、前記固定片の内側の上部には、酸素カプセルの上部を把持するように、傾斜面を形成したものである。
また、本発明は、前記本体と酸素供給キャップは、同一の外径に形成し、前記本体の外周の下端と酸素供給キャップの外周の上端には、それぞれ滑り止め用環状突条を形成したものである。
【発明の効果】
【００１０】
本発明の酸素混合化粧品容器によれば、酸素カプセルと、化粧品容器本体の下部に設けられる酸素供給キャップを、従来とは異なり、単一の構成品として簡単に構造を改善して、酸素供給キャップと容器本体との結合時、酸素を同時に噴き出させることができるという効果がある。
また、酸素供給キャップを単一の構成品として単純化することができるので、構造的に原価を節減するとともに、酸素供給キャップの組立性を向上させることができるという効果がある。
また、酸素カプセルを支持する酸素供給キャップの固定片の内側の上部に傾斜面が形成され、酸素カプセルの上部を把持しやすいので、構造的に酸素供給キャップの内部に取り付けられて酸素を供給する酸素カプセルをより一層容易に入れ替えることができるという効果がある。
【図面の簡単な説明】
【００１１】
【図１】本発明を示す斜視図である。
【図２】本発明の一実施形態を示す分解斜視図である。
【図３】本発明の分離状態を示す断面図である。
【図４】本発明の結合状態を示す断面図である。
【図５】本発明による酸素供給キャップを示す平面図である。
【図６】本発明の他の実施形態を示す分解斜視図である。
【発明を実施するための形態】
【００１２】
以下、添付した図面を参照して、本発明の技術的構成について詳述する。
本発明の酸素混合化粧品容器は、図１乃至図６に示すように、化粧品が収容される上部が開放した貯蔵空間１１を有する本体１０と、前記本体１０の上部に結合され、ノズル２１ａが形成されたポンピング部２１を有する蓋２０と、前記本体１０の下部の中央に気密に取り付けられ、下部に突出した破裂棒３１を有する弁３０と、前記弁３０の破裂棒３１で破裂される破裂膜４１を有し、本体１０の貯蔵空間１１に酸素を供給する酸素カプセル４０と、を備え、前記本体１０の下部に本体１０よりも小さな外径を有して一体で形成され、弁３０の下部と酸素カプセル４０の上部を取り囲む連結管５０と、前記連結管５０に分離可能に結合され、酸素を噴き出させるように、内周の下部に放射状に突出した多数の固定片６１を介して酸素カプセル４０が挟み込まれるカプセル取付部６２を有する酸素供給キャップ６０と、をさらに備えることを、その技術的構成上の基本的な特徴とする。
【００１３】
ここで、本発明の酸素混合化粧品容器は、酸素を化粧品に含ませ、化粧品の本来の固有栄養成分が肌にさらに吸収されやすくし、化粧品に汚染物質が含まれていない純粋酸素を、化粧品の構成成分とは別途に充分な量で供給し、酸素発生物質を含むか否かにかかわらず、化粧品に対する持続的な酸素供給が可能でありながらも、化粧品のリフィルかつリサイクルが可能なようにしたものであって、このような本発明の酸素混合用化粧品容器は、本体１０、蓋２０、弁３０、酸素カプセル４０、連結管５０、及び酸素供給キャップ６０からなる。
【００１４】
前記本体１０は、 酸素混合用化粧品容器の胴体をなすものであって、このような本体１０の内部には、化粧品を収容するように、上部が開放した貯蔵空間１１が形成される。このとき、前記本体１０は、貯蔵空間１１に収容された化粧品の状態を外部から容易に確認できるように、透明体で形成することが好ましい。
前記蓋２０は、本体１０の上部に分離可能に結合され、貯蔵空間１１を密閉させるものであって、このような蓋２０の上部には、ノズル２１ａから化粧品を外部に吐き出すポンピング部２１が設けられる。このとき、前記ポンピング部２１の下部には、弁２２と排出管２３が設けられる。したがって、ポンピング部２１を押圧すると、弁２２が開放され、排出管２３に沿って化粧品＋酸素混合液がノズル２１ａから外部に吐き出される。
【００１５】
前記弁３０は、本体１０の下部の中央に気密に設けられるものであって、このような弁３０の下部には、酸素カプセル４０の破裂膜４１を破裂するとともに、破裂時に噴き出される酸素を本体１０の貯蔵空間１１に供給する破裂棒３１が設けられる。このとき、前記弁３０は、圧力で開閉されるものであって、このような弁３０は、外部圧力により開放され、内部圧力により閉鎖される。
【００１６】
前記酸素カプセル４０は、弁３０の破裂棒３１で破裂される破裂膜４１を有し、本体１０の貯蔵空間１１に酸素を供給するものであって、このような酸素カプセル４０には、高圧で圧縮された酸素が貯蔵される。このとき、前記酸素カプセル４０を破裂棒３１で押し込むと、破裂膜４１が破裂し、これと同時に、酸素が破裂棒３１に噴き出しながら酸素圧により弁３０を開くので、酸素カプセル４０から噴き出される高圧で圧縮された酸素は、破裂棒３１と弁３０を介して本体１０の貯蔵空間１１に供給される。
【００１７】
前記連結管５０は、本体１０の下部に本体１０よりも小さな外径を有して一体で形成されるものであって、このような連結管５０の内部には、弁３０の下部と酸素カプセル４０の上部を収容して取り囲んで空間が形成される。このとき、前記連結管５０は、酸素供給キャップ６０を本体１０の下部に分離可能に結合させる役割を担う。
【００１８】
前記酸素供給キャップ６０は、連結管５０に分離可能に結合され、結合時、酸素を同時に噴き出させるものであって、このような酸素供給キャップ６０の内周の下部には、放射状に多数の固定片６１が一体で形成され、これらの固定片６１の内側の中央部には、酸素カプセル４０が挟み込まれるカプセル取付部６２が形成される。このとき、前記酸素供給キャップ６０のカプセル取付部６２に酸素カプセル４０を取り付けた状態で、前記酸素供給キャップ６０を連結管５０に結合すると、弁３０の破裂棒３１が酸素カプセル４０の破裂膜４１に押し込まれながら破裂膜４１を破裂させるので、酸素供給キャップ６０の結合時、酸素が同時に噴き出しながら、破裂棒３１と弁３０を介して本体１０の貯蔵空間１１に供給される。一方、酸素供給キャップ６０は、透明または不透明体からなる。
【００１９】
前記固定片６１は、前記酸素供給キャップ６０の内周の下部に放射状に形成されるものであって、このような多数の固定片６１は、酸素カプセル４０の外面を支持する役割を担う。
本発明によれば、図３、４に示すように、前記固定片６１の内側の上部には、酸素カプセル４０の上部を把持するように、傾斜面６１ａが形成されていることを特徴とする。このとき、前記固定片６１の内側の上部には、傾斜面６１ａを介して把持空間が形成されるので、酸素カプセル４０の入れ替え時、傾斜面６１ａにより形成された把持空間に手の指を入れ、酸素カプセル４０の上部を持ち、酸素カプセル４０を容易に取り出すことができる。
【００２０】
前記カプセル取付部６２は、固定片６１の内側の中央部に形成されるものであって、このようなカプセル取付部６２には、酸素カプセル４０が挟み込まれる。
本発明の一実施形態によれば、図２と図３、４に示すように、前記連結管５０の外周には雄ねじ５１が形成され、前記酸素供給キャップ６０の内周の上部には、雄ねじ５１と螺合される雌ねじ６３が形成されたことを特徴とする。このとき、前記雄ねじ５１と雌ねじ６３を締め付けると、連結管５０に酸素供給キャップ６０を簡単かつ堅固に結合することができ、このように堅固に結合された酸素供給キャップ６０は、結合時に噴き出される酸素の圧力により分離されない。
【００２１】
本発明の他の実施形態による図６に示すように、前記連結管５０の外周の両側には、下部が開放した挿入溝５２が垂直に形成され、前記挿入溝５２の上部には、着脱案内溝５３が螺旋方向に傾斜して形成され、前記着脱案内溝５３の上部には、固定溝５４が水平に形成され、前記酸素供給キャップ６０の内周の両側には、挿入溝５２と着脱案内溝５３を介して固定溝５４に挟み込まれる固定突起６４が形成されたことを特徴とする。このとき、前記固定突起６４を挿入溝５２に挟み込んだ状態で、固定溝５４側に回転させると、固定突起６４が着脱案内溝５３の傾斜面に沿って上昇しながら、固定溝５４に挟み込まれて締め付けられるので、連結管５０に酸素供給キャップ６０を簡単かつ堅固に結合することができ、このように堅固に結合された酸素供給キャップ６０は、結合時に噴き出される酸素の圧力により分離されない。
【００２２】
一方、本発明によれば、前記本体１０と酸素供給キャップ６０は、外観が美麗なように同一の外径からなり、前記本体１０の外周の下端と酸素供給キャップ６０の外周の上端には、それぞれ、結合時、滑りを防ぐための滑り止め用環状突条１０ａ、６０ａが形成される。
したがって、このような本発明は、酸素カプセル４０と、本体１０の下部に設けられる酸素供給キャップ６０を、従来とは異なり、単一の構成品として簡単に構造を改善して、酸素供給キャップ６０と本体１０の結合時、酸素を同時に噴き出させることができるという長所がある。
【００２３】
また、このような本発明は、上述のように、酸素供給キャップ６０を単一の構成品として単純化することができるので、構造的に原価を節減するとともに、酸素供給キャップ６０の組立性を向上させることができるという長所がある。
また、このような本発明は、酸素カプセル４０を支持する酸素供給キャップ６０の固定片６１の内側の上部に、傾斜面６１ａが形成され、酸素カプセル４０の上部を容易に把持することができるので、構造的に酸素供給キャップ６０の内部に取り付けられ、酸素を供給する酸素カプセル４０をより一層容易に入れ替えることができるという長所がある。
【産業上の利用可能性】
【００２４】
本発明による酸素混合化粧品容器は、酸素カプセルと、化粧品容器本体の下部に設けられる酸素供給キャップを、従来とは異なり、単一の構成品として簡単に構造を改善して、酸素供給キャップと容器本体との結合時、酸素を同時に噴き出させるために用いられる。
また、酸素混合化粧品容器における酸素供給キャップを単一の構成品として単純化することができるので、構造的に原価を節減するとともに、酸素供給キャップの組立性を向上させるために用いられる。
さらに、酸素カプセルを支持する酸素供給キャップの固定片の内側の上部に傾斜面が形成され、酸素カプセルの上部を把持しやすいので、構造的に酸素供給キャップの内部に取り付けられて酸素を供給する酸素カプセルを容易に入れ替えるために用いられる。
【図１】
2019511948.tif 000003
【図２】
2019511948.tif 000004
【図３】
2019511948.tif 000005
【図４】
2019511948.tif 000006
【図５】
2019511948.tif 000007
【図６】
2019511948.tif 000008
【国際調査報告】
2019511948.tif 000009
2019511948.tif 000010
2019511948.tif 000011
2019511948.tif 000012